(57)【要約】【課題】浴室スペースを広くでき、脱衣室が水浸しになることを防止できるミストシャワー装置を提供する。【解決手段】浴室ドア１を取り付けたドア枠２内部に給水管３に連通接続したミストシャワー配管４を設ける。該ミストシャワー配管４にドア枠２の浴室５内側の面に露出して浴室５内にミスト状のシャワーを噴射するミストノズル６を設ける。【選択図】        図１
2004350782.tif 000002
【特許請求の範囲】
【請求項１】
浴室ドアを取り付けたドア枠内部に給水管に連通接続したミストシャワー配管を設け、該ミストシャワー配管にドア枠の浴室内側の面に露出して浴室内にミスト状のシャワーを噴射するミストノズルを設けてなることを特徴とするミストシャワー装置。
【請求項２】
上記ミストノズルを設けたミストシャワー配管の下流側端部に排水管を連通接続し、該排水管に排水用電磁弁を設けると共に上記給水管に給水用電磁弁を設け、浴室ドアの近傍に浴室ドアの開閉状態を検知するドア開閉検知センサを設け、前記ドア開閉検知センサにて浴室ドアが閉状態にあることを検知した場合には、排水用電磁弁を閉にすると共に給水用電磁弁の開閉を切り換え可能とし、ドア開閉検知センサにて浴室ドアが開状態にあることを検知した場合には、給水用電磁弁を閉にすると共に排水用電磁弁を開にする制御部を設けて成ることを特徴とする請求項１記載のミストシャワー装置。
【請求項３】
上記ミストシャワー配管の下流側端部に排水管を連通接続し、該排水管に排水用電磁弁を設けると共に上記給水管に給水用電磁弁を設け、給水用電磁弁よりも上流側に給湯器を設け、給湯器よりも下流側且つ給水用電磁弁よりも上流側に温度センサを設け、浴室内及び又は浴室外にミストシャワースイッチを設け、該ミストシャワースイッチをＯＮにした際には給水用電磁弁を開にすると共に給湯器の設定温度を５０℃〜７０℃に変更し、且つミストシャワースイッチをＯＦＦにした際には給水用電磁弁を閉にし、且つ前記ミストシャワースイッチＯＮ状態において温度センサによる検知温度が５０℃〜７０℃の範囲にある場合は排水用電磁弁を閉にし、且つ検知温度が５０℃〜７０℃の範囲にない場合は排水用電磁弁を開にする制御部を設けて成ることを特徴とする請求項１記載のミストシャワー装置。
【発明の詳細な説明】
【０００１】
【発明の属する技術分野】
本発明は浴室内にミストシャワーを散水するミストシャワー装置に関するものである。
【０００２】
【従来の技術】
この種のミストシャワー装置としては、浴室の壁面から突設したアームをミストシャワー配管として用い、該アームにミストシャワーを噴出するミストノズルを設けたものが知られており、該アームに供給された湯水をミストノズルから散水することで、浴室内の入浴者はミストシャワーを浴び、体を温めてリラックス効果のある入浴を行える（例えば特許文献１）。
【０００３】
しかし上記に示すミストシャワー装置はミストシャワー配管となるアームが浴室の壁面より突出しているため、入浴の際にこの突出物が邪魔になり、また浴室のスペースが狭くなってしまう。また上記ミストシャワー装置におけるミストノズルは浴室の壁に設けたアームに設けているため、ミストシャワーが脱衣室に通じる浴室用ドアやドア枠に向かって飛散してしまうことが多々あり、これにより脱衣室が水浸しになってしまうという問題がある。
【０００４】
【特許文献１】
特開２００１−２０４６４５号公報
【０００５】
【発明が解決しようとする課題】
本発明は上記の点に鑑みてなされたものであり、その目的とするところは、ミストシャワー配管を配設するための突出物がなく浴室スペースを広くでき、しかもミストシャワーが脱衣室に通じる浴室ドアやドア枠に向かって散水されることを抑えることができ、且つ脱衣室が水浸しになることを防止できるミストシャワー装置を提供することを課題とするものである。
【０００６】
【課題を解決するための手段】
上記課題を解決するために本発明に係るミストシャワー装置は、浴室ドア１を取り付けたドア枠２内部に給水管３に連通接続したミストシャワー配管４を設け、該ミストシャワー配管４にドア枠２の浴室５内側の面に露出して浴室５内にミスト状のシャワーを噴射するミストノズル６を設けてなることを特徴とするものである。
【０００７】
上記構成により、給水管３から供給された水をドア枠２内部に設けたミストシャワー配管４内に通し、該水をミストシャワー配管４に設けたミストノズル６からミストシャワーにして散水することができ、これによりミストシャワーを配設するためのアームのような浴室５の壁面より突出する邪魔な突出物のないミストシャワー装置を提供でき、結果、浴室５のスペースを広くできる。またドア枠２内部に設けたミストシャワー配管４に浴室５内側の面に露出したミストノズル６を設けることで、ミストシャワーはドア枠２以外の浴室５内側に散水されることとなり、これによりミストシャワーが脱衣室に通じる浴室ドア１やドア枠２に向かって飛散することを抑えることができ、結果、脱衣室が水浸しになることを防止できる。
【０００８】
また請求項２は請求項１において、上記ミストノズル６を設けたミストシャワー配管４の下流側端部に排水管７を連通接続し、該排水管７に排水用電磁弁８を設けると共に上記給水管３に給水用電磁弁９を設け、浴室ドア１の近傍に浴室ドア１の開閉状態を検知するドア開閉検知センサ１０を設け、前記ドア開閉検知センサ１０にて浴室ドア１が閉状態にあることを検知した場合には、排水用電磁弁８を閉にすると共に給水用電磁弁９の開閉を切り換え可能とし、ドア開閉検知センサ１０にて浴室ドア１が開状態にあることを検知した場合には、給水用電磁弁９を閉にすると共に排水用電磁弁８を開にする制御部１１を設けて成ることを特徴とするものである。
【０００９】
上記のように浴室ドア１が閉状態にある通常時には、制御部１１により排水用電磁弁８を閉にすると共に給水用電磁弁９の開閉を切り換え可能とすることで、ミストシャワー散水可能状態にでき、また浴室ドア１が開状態にある場合には、制御部１１により給水用電磁弁９を閉にすることでミストシャワー配管４への水の供給を停止してミストシャワー散水不能状態とでき、これにより開状態となった浴室ドア１から脱衣室にミストシャワーが飛散することを防止でき、より一層脱室が水浸しになることを防止できる。しかも浴室ドア１が開状態にある場合に制御部により排水用電磁弁８を開にすることで、浴室ドア１を開ける度に給水用電磁弁９よりも下流側の配管の残水を排水管７に排水することができ、これによりミストシャワーを次回使用する際には給水用電磁弁９よりも下流側の配管にある冷たくなった残水が使用者にかかることがなく、また給水用電磁弁９よりも下流側の配管の凍結も防止でき、また衛生的である。
【００１０】
また請求項３は請求項１において、上記ミストシャワー配管４の下流側端部に排水管７を連通接続し、該排水管７に排水用電磁弁８を設けると共に上記給水管３に給水用電磁弁８を設け、給水用電磁弁９よりも上流側に給湯器１２を設け、給湯器１２よりも下流側且つ給水用電磁弁９よりも上流側に温度センサ１３を設け、浴室５内及び又は浴室５外にミストシャワースイッチ１４を設け、該ミストシャワースイッチ１４をＯＮにした際には給水用電磁弁９を開にすると共に給湯器１２の設定温度を５０℃〜７０℃に変更し、且つミストシャワースイッチ１４をＯＦＦにした際には給水用電磁弁９を閉にし、且つ前記ミストシャワースイッチ１４ＯＮ状態において温度センサ１３による検知温度が５０℃〜７０℃の範囲にある場合は排水用電磁弁８を閉にし、且つ検知温度が５０℃〜７０℃の範囲にない場合は排水用電磁弁８を開にする制御部１１を設けて成ることを特徴とするものである。
【００１１】
上記構成により、ミストシャワースイッチ１４ＯＮ状態において温度センサ１３の検知温度が５０℃〜７０℃の範囲にある場合には、制御部１１により排水用電磁弁８を閉にしてミストノズル６からミストシャワーを散水することができ、また５０℃〜７０℃の範囲にない場合には、制御部１１により排水用電磁弁８を開にしてミストシャワー配管４内の水を排水管７に排水して各ミストノズル６からのミストシャワーの散水を停止でき、これにより使用者はミスト入浴における最適な温度である５０℃〜７０℃の範囲にあるミストシャワーを浴びることができ、しかも使用時に５０℃〜７０℃の範囲にない低温のミストシャワーや高温のミストシャワーが使用者にかかることを防止できる。
【００１２】
【発明の実施の形態】
以下本発明を添付図面に示す実施形態に基づいて説明する。まず第１の実施形態について説明する。
【００１３】
図１に本実施形態のミストシャワー装置の説明図を示す。浴室５は、洗い場１５を形成した床パン１６と、この床パン１６と一体もしくは別体の浴槽１７と、床パン１６の周縁部に立設された壁パネル１８と、これらの壁パネル１８によって形成された上方開口を覆う天井パネル（図示せず）とで構成された浴室ユニット１９により形成されており、前記床パン１６、各壁パネル１８、天井パネルにて浴室５の床２０、壁２１、天井を形成している。
【００１４】
浴室５内には従来から公知の浴室水栓２２を設けている。浴室水栓２２は浴室５外に配設した水栓用給水路２３を介して水道２４に連通接続してあり、該水栓用給水路２３の途中には浴室５外に配設した給湯器１２を設けている。本実施形態では上記浴室水栓２２として図１に示すように浴槽用水栓２２ａと洗い場用水栓２２ｂとの２つの水栓を利用しており、このため水栓用給水路２３は給湯器１２よりも下流側の分岐点２５で浴槽用水栓２２ａ側と洗い場用水栓２２ｂ側とに分岐しており、分岐点２５よりも下流側の夫々の端部は浴槽用水栓２２ａと洗い場用水栓２２ｂとに連通接続されている。給湯器１２の設定温度は例えば図示しない操作部を操作することで使用者により変更可能となっており、通常給湯器１２の設定温度はこの使用者が設定した温度に設定されている。
【００１５】
浴室５の洗い場１５に面する壁２１のうち、一つの壁２１ａの一画には開口部２６を形成してあり、該開口部２６には浴室ドア１用のドア枠２を配設している。ドア枠２は上枠材２ａ及び左右の縦枠材２ｂからなる門形状であって、ドア枠２の浴室５側の面は図２に示すように浴室５の壁面（壁２１ａの浴室５内側の面）と略面一となっている。ドア枠２の各枠材２ａ、２ｂとしては例えばアルミニウム製の中空押出し材を用い、これにより断面中空（詳しくは断面略中空矩形状）のドア枠２を形成している。なお図２ではドア枠２の浴室５側の面が浴室５の壁面よりもやや突出しているが、このドア枠２の浴室５側の面は浴室５の壁面と完全に面一であっても良いし、浴室の壁面よりもやや凹没していても良いものとする。またドア枠２の材質及び形状は上記に限定されるものではない。
【００１６】
そしてドア枠２の開口部２７には浴室ドア１を開閉自在に取り付けてあり、これにより浴室５の出入り口を形成している。なお、浴室ドア１としては折戸、開戸、引き戸等、どのタイプを用いても良い。
【００１７】
上記浴室５に設けたミストシャワー装置の構成について説明する。上記洗い場１５に面する壁２１ａに配設したドア枠２の内部には図１乃至図３に示すようにミストシャワー配管４を設けてあり、該ミストシャワー配管４の全部はドア枠２内部に完全に収まっている。ミストシャワー配管４はドア枠２内部に形成した配管収納部（すなわち前述した断面略中空のドア枠２の中空部）に配設することで、ドア枠２内部に配設している。ミストシャワー配管４は、ドア枠２の左右の縦枠材２ｂ内部に配設した左右の縦管部４ｂと、上横枠材２ａ内部に配設した前記両縦管部４ｂの上端同士を連通接続する上横管部４ａとからなる。ドア枠２（一方の縦枠材４ａの一側面）の浴室５の壁裏（壁２１ａの裏側）に面した部分の上端部には図２に示すように給水管接続口部２８を壁裏側に突設している。該給水管接続口部２８には前述の一方の縦枠材２ｂ内部にある縦管部４ｂの上端部をドア枠２内部に設けた接続管２９を介して連通接続してあり、また両縦管部４ｂの下端は後述する各ミストノズル６のうち最下位置に配設されたミストノズル６まで伸びている。すなわち本実施形態のミストシャワー配管４は、接続管２９の下流側端部が連通接続された一方の縦管部４ｂの上端部が上流側端部となり、両縦枠材２ｂの夫々の下端が下流側端部となっている。
【００１８】
上記ミストシャワー配管４の両縦管部４ｂの夫々にはドア枠２の浴室５内側の面に露出して浴室５内にミスト状のシャワーを散水するミストノズル６を上下方向に間隔をあけて複数設けている。各ミストノズル６はドア枠２に形成したミストノズル用孔にミストノズル６を配設することで設けられており、ミストノズル６の先端は図３に示すようにドア枠２の浴室５側の面と面一となっている。なお各ミストノズル６の先端は浴室５側の面と略面一になっていれば良く、ドア枠２の浴室５側の面よりもやや突出していても良いし、凹没していても良いものとする。また各ミストノズル６は浴室５（特に洗い場１５）に居る使用者がミストシャワーを浴びることができる位置に配されていれば良く、各ミストノズル６の配置は設計者により適宜設計変更可能である。
【００１９】
上記ミストシャワー配管４はその上端部（上流側端部）が水道２４に連通接続した給水管３に連通接続してある。ここで給水管３の下流側端部とミストシャワー配管４の上端部とは前述した接続管２９及び給水管接続口部２８を介して連通接続してあり、例えば図３に示すようにドア枠２より突出する給水管接続口部２８の外周部に形成した雄ねじ部２８ａと、ミストシャワー配管４の下流側端部に形成した雌ネジ部（図示せず）とを螺合することで連通接続している。該給水管３の上流側端部は前述した水栓用給水路２３における給湯器１２よりも下流側に連通接続してあり、つまり前記浴室水栓２２に湯水を供給する水道２４及び給湯器１２にて、ミストシャワー配管４に湯水を供給する水道及び給湯器を兼用している。なお、給湯器４は給水管３における後述する給水用電磁弁９よりも上流側に設けても良いものとする。
【００２０】
上記給水管３には給水用電磁弁９を設けている。該給水用電磁弁９及び前述した給湯器１２の夫々は浴室５外（詳しくは天井裏）に配設した制御部１１に電気接続してあり、制御部１１はＡＣ１００Ｖ電源より電力が供給されている。また浴室５内には使用者の操作によりＯＮ／ＯＦＦ切り換え自在のミストシャワースイッチ１４を設けてあり、該ミストシャワースイッチ１４も制御部１１に電気接続している。
【００２１】
そして上記のミストシャワー装置を使用する場合は、使用者がミストシャワースイッチ１４をＯＮにすることで行う。ミストシャワースイッチ１４をＯＮにすると、制御部１１は前記使用者が設定した給湯器１２の設定温度を使用者が最もリラックスした状態で最適な温度のミスト入浴が行える５０℃〜７０℃の範囲（好ましくは６０℃）に変更すると共に、給水用電磁弁９を開にする。これにより給湯器１２にて昇温された水は給水管３に流入した後、給水管３から給水管接続口部２８、接続管２９を介してミストシャワー配管４に流入し、接続管２９から流入した水のうち、一方は左縦管部４ｂを通って左縦管部４ｂに設けた各ミストノズル６に送られ（図１中矢印イ参照）、他方は左縦管部４ｂ、上横管部４ａ、右縦管部を順に通って縦管部に設けた各ミストノズル６に送られ（矢印ロ参照）、しかして両縦管部４ｂに設けた各ミストノズル６から浴室５内に向けてミストシャワーが散水される。これにより洗い場１５に居る使用者はミストノズル６から散水されたミストシャワーを浴びることができ、体を温めてリラックス効果のある入浴を行うことができる。ここでミストシャワースイッチ１４のＯＮにより自動的に給湯器１２の設定温度がミストシャワーに適した温度に変更されるため、使用者は最適温度でミストシャワーを浴びることができ、またミストシャワーを利用する際にその都度給湯器１２の設定温度を変更するといった面倒な作業を省くことができる。
【００２２】
その後ミストシャワーの散水を停止する場合は、ミストシャワースイッチ１４をＯＦＦにする。ミストシャワースイッチ１４をＯＦＦにすると、制御部１１は給湯器１２の設定温度をミストシャワースイッチ１４のＯＮ直前の設定温度（すなわち使用者が操作部により設定した温度）に変更すると共に、給水用電磁弁９を閉にする。これにより給水用電磁弁９にてミストシャワー配管４への水の流入が遮断されて、ミストシャワーの散水が停止する。ここでミストシャワースイッチ１４のＯＦＦ操作により自動的にミストシャワースイッチ１４ＯＮ前の設定温度に変更することで、ミストシャワーを利用した後、浴室水栓２２を利用した際に、浴室水栓２２から高温の水が吐出されることがなくなり、火傷を防止することができる。
【００２３】
上記のように従来から浴室５に設けられるドア枠２の内部にミストシャワー配管４を設け、該ミストシャワー配管４にドア枠２の浴室５内側の面に露出するミストノズル６を設けることで、従来例のようにミストシャワー配管を配設するためのアームのような浴室の壁面５より突出する邪魔な突出物のないミストシャワー装置を提供でき、浴室５のスペースを広くできる。またドア枠２内部に設けたミストシャワー配管４に浴室５内側の面に露出したミストノズル６を設けることで、ミストシャワーはドア枠２以外の浴室５内側に散水されることとなり、これにより散水したミストシャワーが脱衣室に通じる浴室ドア１やドア枠２に向かって飛散することを抑えることができる。また上記ミストノズル６は中空のドア枠２にミストノズル用孔を形成するだけで配設でき、ミストノズル６の施工が容易である。
【００２４】
なお上記では制御部１１によりミストシャワースイッチ１４のＯＮ／ＯＦＦを切り換えた際に給湯器１２の設定温度を自動的に変更するように設定したが、本実施形態及び後述する第２の実施形態ではこの制御を行わなくても良いものとする。
【００２５】
ところで上記したミストシャワー装置にてミストシャワーを散水している際に浴室ドア１が開いた場合や、使用者が気付かず浴室ドア２が開状態にある場合は、上記したようにドア枠２から洗い場１５に向けてミストシャワーを散水していると言えども、使用者や浴室５に当たって跳ねかえったミストシャワーや、散水したミストシャワー等が脱衣室側へ飛散してしまう場合がある。またミストシャワー装置使用後にミストシャワースイッチ１４により給水用電磁弁９を閉にした場合には、給水用電磁弁９よりも下流側の配管、すなわち給水管３の給水用電磁弁９よりも下流側及びミストシャワー配管４に水が残ってしまい、これにより次回使用時に給水用電磁弁９よりも下流側の配管にある冷たくなった残水が使用者にかかってしまうという問題が生じる。
【００２６】
そこで、上記第１の実施形態と異なる第２の実施形態を図４に示す。なお上記第１の実施形態と同一の構成については同一の番号を付与してあり、重複する説明については説明を省略する。
【００２７】
ミストシャワー配管４の下流側端部である両縦管部４ｂの夫々の下端はその大部分が浴室５の床下に配設された排水管７に連通接続してある。排水管７の下流側端部は浴室５の床２０もしくは床２０の下方に配設した浴室５の排水を集水除去するための排水トラップ３０に連通接続してあり、該排水トラップ３０を介して浴室５の床下に配設した排水路（図示せず）に排水できるようになっている。なおミストシャワー配管４の両縦管部４ｂの下端はドア枠２の各縦枠材２ｂ内部の下端部に下端より導入した排水管７の上流側端部と接続しているものとする。また本実施形態の排水管７は洗い場１５の排水口（図示せず）下方に設けた排水トラップ３０を介して排水路に連通接続したものであるが、該排水管７は排水路に連通接続してあれば良く、例えば排水路に直接連通接続してあっても良いものとする。
【００２８】
上記排水管７には排水用電磁弁８を設けてあり、該排水用電磁弁８は制御部１１に電気接続している。またドア枠２には浴室ドア１の開閉状態を検知するためのリードスイッチのようなドア開閉検知センサ１０を設けてあり、該ドア開閉検知センサ１０も制御部１１に電気接続している。
【００２９】
そして制御部１１は以下の制御を行うように設定されている。すなわち前記ドア開閉検知センサ１０にて浴室ドア１が閉状態にあることを検知した場合には、排水用電磁弁８を閉にすると共に給水用電磁弁９の開閉を切り換え可能にし、これによりミストシャワースイッチ１４の操作に伴なう給水用電磁弁９の開閉によりミストシャワーを散水するか否かを選択できるミストシャワー散水可能状態とし、且つドア開閉検知センサ１０にて浴室ドア１が開状態にあることを検知した際には、給水用電磁弁９を閉にすると共に排水用電磁弁８を開にし且つ給水用電磁弁９の開閉を切り換え不能にし、これによりミストシャワー散水不能状態とする制御を行うものである。
【００３０】
また制御部１１は、上記浴室ドア１が閉状態である場合に、使用者がミストシャワースイッチ１４をＯＮにすると、使用者が設定した給湯器１２の設定温度を５０℃〜７０℃の範囲に変更すると共に給水用電磁弁９を開にするよう設定されている。これにより給湯器１２にて昇温された水はミストシャワー配管４に流入した後、ミストノズル６より浴室５内に向けてミストシャワーが散水される。また使用者がミストシャワースイッチ１４をＯＦＦにすると、制御部１１は給湯器１２の設定温度をミストシャワースイッチ１４ＯＮ直前の設定温度（使用者が設定した温度）に変更すると共に、給水用電磁弁９を閉にする。すなわち本実施形態の制御部１１は、上記浴室ドア１の開による給水用電磁弁９の開制御がミストシャワースイッチ１４のＯＮ／ＯＦＦによる給水用電磁弁９の開閉の制御よりも優先されるように設定されている。なお、上記制御部１１による制御において、ミストシャワースイッチ１４がＯＮで且つ浴室ドア１が閉にある状態から浴室ドア１が開状態になった際においては、給湯器１２の設定温度をミストシャワースイッチ１４ＯＮ直前の設定温度に変更するように制御したり、浴室ドア１が開から閉になった際にミストシャワースイッチ１４をＯＦＦ状態にリセットしても良いものとする。
【００３１】
上記制御部１１による制御により、浴室ドア１が閉状態にある場合には、上記第１の実施形態同様ミストシャワースイッチ１４を操作してミストシャワーを散水できる。また浴室ドア１が開状態にある場合には、制御部１１により給水用電磁弁９を閉にすることでミストシャワー配管４への水の供給を停止してミストシャワーの散水を停止でき、これにより開状態となった浴室ドア１から脱衣室にミストシャワーが飛散することを防止でき、また同じく浴室ドア１が開状態にある場合には制御部１１により排水用電磁弁８を開にすることで、浴室ドア１を開ける度に給水用電磁弁９よりも下流側の配管の残水を排水管７に排水することができ、次回使用時にミストシャワー配管４にある冷たくなった残水が使用者にかかることを防止できる。
【００３２】
ところで上記第１、第２の実施形態では、給湯器１２の設定を５０℃〜７０℃の最適な温度に設定したとしても、給水用電磁弁９を閉弁した後は、給水用電磁弁９よりも上流側の配管に水が残ってしまい、次回使用時にこの配管にある冷たくなった残水がミストノズル６から散水されて使用者にかかってしまい不快感を感じるという問題が生じる。また、ミストシャワー配管４へ供給される水の温度が、給湯器１２のトラブル等の原因で異常に高くなったり、給湯器１２の運転開始直後のために低かったりする場合があるのだが、このような場合にミストシャワー配管４に湯水を供給した場合、前者では火傷をする恐れがあり、後者では前述同様冷たい水がミストノズル６から散水されて使用者にかかってしまうという問題が生じる。
【００３３】
そこで上記第２の実施形態とは異なる第３の実施形態について説明する。なお、上記第１の実施形態と同一の構成については同一の番号を付与してあり、重複する説明については説明を省略する。
【００３４】
まず、第３の実施形態の一例を説明する。図４に示すようにミストシャワー配管４の下流側端部である両縦管部４ｂの夫々の下端はその大部分が浴室５の床下に配設された排水管７に連通接続してある。排水管７の下流側端部は浴室５の床２０もしくは床２０の下方に配設した浴室の排水を集水除去するための排水トラップ３０に連通接続してあり、該排水トラップ３０を介して浴室５の床下に配設した排水路（図示せず）に排水できるようになっている。なおミストシャワー配管４の両縦管部４ｂの下端はドア枠２の各縦枠材２ｂ内部の下端部に下端より導入した排水管７の上流側端部と接続しているものとする。また本実施形態の排水管７は洗い場１５の排水口（図示せず）下方に設けた排水トラップ３０を介して排水路に連通接続したものであるが、該排水管７は排水路に連通接続してあれば良く、例えば排水路に直接連通接続してあっても良いものとする。
【００３５】
上記排水管７には排水用電磁弁８を設けてあり、該排水用電磁弁８は制御部１１に電気接続している。また給水管３の給水用電磁弁９よりも上流側には温度センサ１３を設けてあり、該温度センサ１３も前記制御部１１に電気接続されている。
【００３６】
そして本実施形態の制御部１１は以下の制御を行うように設定されている。すなわち制御部１１はミストシャワースイッチ１４をＯＮにした際には、給水用電磁弁９を開にすると共に給湯器１２の設定温度を５０℃〜７０℃に変更し、ミストシャワースイッチ１４をＯＦＦにした際には、給湯器１２の設定温度をミストシャワースイッチ１４のＯＮ直前の設定温度（すなわち使用者が操作部により設定した温度）に変更すると共に給水用電磁弁９を閉にするよう設定されている。
【００３７】
また制御部１１は、前記ミストシャワースイッチ１４ＯＮ状態において温度センサ１３による検知温度が５０℃〜７０℃の範囲にある場合は排水用電磁弁８を閉にする。これにより給水用電磁弁９が開で且つ排水用電磁弁８が閉の状態となり、給水管３からミストシャワー配管４に流入した水は各ミストノズル６から浴室５内に向けてミストシャワーとして散水される。また制御部１１は前記ミストシャワースイッチ１４ＯＮ状態において温度センサ１３による検知温度が所定時間５０℃〜７０℃の範囲にない場合は排水用電磁弁８を開にするよう設定されている。これにより給水用電磁弁９が開で且つ排水用電磁弁８が開の状態となり、給水管３からミストシャワー配管４に流入した水は各ミストノズル６から散水されず、排水管７を通って排水路に排水される。
【００３８】
上記制御部１１による制御により、ミストシャワースイッチ１４ＯＮ状態において給水管３を流れる水の温度（温度センサ１３の検知温度）が５０℃〜７０℃の範囲にある場合には、制御部１１により排水用電磁弁８を閉にしてミストノズル６からミストシャワーを散水することができ、また５０℃〜７０℃の範囲にない場合には、制御部１１により排水用電磁弁８を開にしてミストシャワー配管４内の水を排水管７に流出して各ミストノズル６からミストシャワーを散水できないようにでき、これによりミストシャワースイッチ１４をＯＮにした際には、給水用電磁弁９よりも上流側の配管に前回使用した水が残っていたり、また給水管３を流れる水の温度が給湯器１２の運転開始直後のために低かったりしたとしても、この水は各ミストノズル６より散水されず、排水管７より排水されることとなり、結果冷たい水が使用者にかかるという問題を改善でき、また給湯器１２のトラブル等の原因で給水管３を流れる水が異常に高かったりした場合も同様に、この水は排水管７より排水されて各ミストノズル６より散水されず、結果、使用者の火傷を防止することができる。
【００３９】
また上記実施形態において、ドア枠２に浴室ドア１の開閉状態を検知するためのリードスイッチのようなドア開閉検知センサ１０を設け、該ドア開閉検知センサ１０を前述した制御部１１に電気接続することも好ましい。
【００４０】
つまり本例の制御部１１は以下の制御を行うように設定されている。制御部１１は前記ドア開閉検知センサ１０にて浴室ドア１が閉状態にあることを検知した場合には、給水用電磁弁９の開閉を切り換え可能にし、ドア開閉検知センサ１０にて浴室ドア１が開状態にあることを検知した際には、給水用電磁弁９を閉にすると共に排水用電磁弁８を開にし且つ給水用電磁弁９の開閉を切り換え不能にしてミストシャワー散水不能状態とする。
【００４１】
また制御部１１は、上記浴室ドア１が閉状態である場合に、使用者がミストシャワースイッチ１４をＯＮにした際には、給水用電磁弁９を開にすると共に給湯器１２の設定温度を５０℃〜７０℃に変更し、ミストシャワースイッチ１４をＯＦＦにした際には、給湯器１２の設定温度をミストシャワースイッチ１４のＯＮ直前の設定温度（すなわち使用者が操作部により設定した温度）に変更すると共に給水用電磁弁９を閉にするよう設定されている。なお、上記制御部１１による制御において、ミストシャワースイッチ１４がＯＮで且つ浴室ドア１が閉にある状態から浴室ドア１が開状態になった際においては、給湯器１２の設定温度をミストシャワースイッチ１４ＯＮ直前の設定温度に変更するように制御したり、浴室ドア１が開から閉になった際にミストシャワースイッチ１４をＯＦＦ状態にリセットしても良いものとする。
【００４２】
そして制御部１１は、前記浴室ドア１が閉状態で且つミストシャワースイッチ１４ＯＮ状態において温度センサ１３による検知温度が５０℃〜７０℃の範囲にある場合は排水用電磁弁８を閉にする。これにより給水用電磁弁９が開で且つ排水用電磁弁８が閉の状態となり、給水管３からミストシャワー配管４に流入した水は各ミストノズル６から浴室５内に向けてミストシャワーとして散水される。また制御部１１は前記浴室ドア１が閉状態で且つミストシャワースイッチ１４ＯＮ状態において温度センサ１３による検知温度が所定時間５０℃〜７０℃の範囲にない場合は排水用電磁弁８を開にするよう設定されている。これにより給水用電磁弁９が開で且つ排水用電磁弁８が開の状態となり、給水管３からミストシャワー配管４に流入した水は各ミストノズル６から散水されず、排水管７を通って排水路に排水される。
【００４３】
上記のように制御部１１により制御することで、浴室ドア１が開状態にある場合には、制御部１１により給水用電磁弁９を閉にすることでミストシャワー配管４への水の供給を停止してミストシャワーの散水を停止でき、これにより開状態となった浴室ドア１から脱衣室にミストシャワーが飛散することをより防止でき、また同じく浴室ドア１が開状態にある場合には制御部１１により排水用電磁弁８を開にすることで、浴室ドア１を開ける度に給水用電磁弁９よりも下流側の配管の残水を排水管７に排水することができ、次回使用時にミストシャワー配管４にある冷たくなった残水が使用者にかかることを防止できる。
【００４４】
なお、上記に示した全ての実施形態ではミストシャワースイッチ１４を浴室５内にのみ設けた例について説明したが、該浴室５内に設けたミストシャワースイッチ１４に加えて、浴室５外（詳しくは脱衣室）にも制御部１１に電気接続したミストシャワースイッチ１４を設け、浴室５内及び浴室５外のいずれのミストシャワースイッチ１４を押してもＯＮ／ＯＦＦ状態を切り換えられるようにしても良く、これにより浴室５内の予暖房を行うためにミストシャワーを用いた場合には、使用者はミストシャワーを浴びることなく浴室５外に居ながらにしてミストシャワーを散水できる。この場合、予暖房用にミストノズル６及びミストシャワー配管４の配置を適宜設計変更することが可能であることは言うまでもない。
【００４５】
【発明の効果】
以上説明したように本発明の請求項１記載の発明では、浴室の壁面より突出する邪魔な突出物のないミストシャワー装置を提供でき、結果、浴室のスペースを広くできる。またミストシャワーをドア枠以外の浴室内に向かって散水することができ、これによりミストシャワーが脱衣室に通じる浴室ドアやドア枠に向かって飛散することを抑えることができ、結果、脱衣室が水浸しになることを防止できる。
【００４６】
また請求項２記載の発明では、上記請求項１記載の発明の効果に加えて、浴室ドアが閉状態にある通常時には給水用電磁弁の開閉の切り換えによりミストシャワーを散水でき、浴室ドアが開状態にある場合には、ミストシャワー配管への水の供給を停止してミストシャワーの散水を停止でき、開状態となった浴室ドアから脱衣室にミストシャワーが飛散することをより一層防止できる。しかも浴室ドアを開ける度に制御部により排水用電磁弁を開にして給水用電磁弁よりも下流側の配管の残水を排水管に排水することができ、ミストシャワーを次回使用する際に給水用電磁弁よりも下流側の配管にある冷たくなった残水が使用者にかかることがなく、また給水用電磁弁よりも下流側の配管の凍結も防止でき、また衛生的である。
【００４７】
また請求項３記載の発明では、上記請求項１記載の発明の効果に加えて、使用者はミスト入浴における最適な温度である５０℃〜７０℃の範囲にあるミストシャワーを浴びることができ、しかも使用時に５０℃〜７０℃の範囲にない低温のミストシャワーや高温のミストシャワーが使用者にかかることを防止でき、結果、火傷や不快感を解消できる。
【図面の簡単な説明】
【図１】本発明の第１の実施形態の一例を示すミストシャワー装置の説明図である。
【図２】同上の要部を拡大した横断面図である。
【図３】同上の要部を拡大した縦断面図である。
【図４】第２の実施形態の一例を示すミストシャワー装置の説明図である。
【図５】第２、第３の実施形態の電気的接続を示すブロック図である。
【図６】第２、第３の実施形態の配管の接続を示す説明図である。
【符号の説明】
１  浴室ドア
２  ドア枠
３  給水管
４  ミストシャワー配管
５  浴室
６  ミストノズル
７  排水管
８  排水用電磁弁
９  給水用電磁弁
１０  ドア開閉検知センサ
１１  制御部
１２  給湯器
１３  温度センサ
１４  ミストシャワースイッチ
【図１】
2004350782.tif 000003
【図２】
2004350782.tif 000004
【図３】
2004350782.tif 000005
【図４】
2004350782.tif 000006
【図５】
2004350782.tif 000007
【図６】
2004350782.tif 000008